(57)【特許請求の範囲】
【請求項１】
表示部に対して一定の周期で被写体画像を表示させるために、撮像部で撮像された画像データに対して前記表示部の表示解像度に合わせた縮小処理を施してスルー画像用データに変換してから表示部に出力するスルー画像表示動作を繰り返し実行するスルー画像表示手段と、
連続撮影指示に応じて連続画像データを記録保存するために、撮像部で撮像された連続画像データに対して圧縮処理を施してから画像保存用のメモリに記録する連続撮影動作を行う連続撮影手段と、を備え、
前記連続撮影手段は、前記連続撮影指示の後において前記スルー画像表示手段により得られるスルー画像用データを逐次取得し、この取得された複数のスルー画像用データに対して圧縮処理を施してから画像保存用のメモリに記録することを特徴とする電子カメラ装置。
【請求項２】
前記連続撮影手段は、前記連続撮影動作によって得られた複数のスルー画像用データをまとめて１画像分のデータとして一括保存することを特徴とする請求項１記載の電子カメラ装置。
【請求項３】
前記連続撮影手段は、前記連続撮影動作によって得られた複数のスルー画像用データをまとめて１画像分のデータとして圧縮処理を施すことにより一括保存することを特徴とする請求項２記載の電子カメラ装置。
【請求項４】
前記連続撮影手段は、前記スルー画像表示手段によって前記縮小処理が施されたスルー画像用データに対して、更に画素数を間引く処理を行った後に圧縮処理を施して画像保存用のメモリに記録することを特徴とする請求項１，２または３に記載の電子カメラ装置。
【請求項５】
前記連続撮影手段は、前記スルー画像表示手段によって前記縮小処理が施されたスルー画像用データに対して、更に画素数を補完する処理を行った後に圧縮処理を施して画像保存用のメモリに記録することを特徴とする請求項１，２または３に記載の電子カメラ装置。
【請求項６】
ズーム操作があったとき、前記スルー画像用データはズームされた被写体画像を基とした画像データであることを特徴とする請求項１，２または３に記載の電子カメラ装置。
【請求項７】

前記連続撮影手段は、連写モード時にシャッターボタンが押下されてからシャッターボタンが解放されるまでの間において前記スルー画像表示手段により得られるスルー画像用データを繰り返し取得し、この取得された複数のスルー画像用データに対して圧縮処理を施してから画像保存用のメモリに記録することを特徴とする請求項１に記載の電子カメラ装置。
【請求項８】

前記連続撮影手段は、前記繰り返し取得されるスルー画像用データを１画像分の画像データとして配置していき、所定数のスルー画像用データの配置が完了した場合にはシャッターボタンが押下中であっても連続撮影を終了し、この１画像分の画像データに対して圧縮処理を施してから画像保存用のメモリに記録することを特徴とする請求項７に記載の電子カメラ装置。
【請求項９】

前記連続撮影手段は、前記繰り返し取得されるスルー画像用データを１画像分の画像データとして配置していき、連写用画像データを書き込む連続空き領域が無くなった場合にはシャッターボタンが押下中であっても連続撮影を終了し、この１画像分の画像データに対して圧縮処理を施してから画像保存用のメモリに記録することを特徴とする請求項７に記載の電子カメラ装置。
【請求項１０】

前記連続撮影手段は、ベイヤーデータの形態で取得される各スルー画像用データに対してＲＧＢデータへの変換処理を含む画像変換処理を施した後に１画像分の画像データとしてまとめて圧縮処理を施してから画像保存用のメモリに記録することを特徴とする請求項３に記載の電子カメラ装置。
【請求項１１】

前記連続撮影手段は、ベイヤーデータの形態で取得される各スルー画像用データを１画像分の画像データとしてまとめた後に、ＲＧＢデータへの変換処理を含む画像変換処理および圧縮処理を施してから画像保存用のメモリに記録することを特徴とする請求項３に記載の電子カメラ装置。
【発明の詳細な説明】
【０００１】
【発明の属する技術分野】
本発明は電子カメラ装置に関し、特に、電子カメラ装置を用いて所定時間間隔で撮像を行なう連続撮影（以下、連写）技術に関する。
【０００２】
【従来の技術】
デジタルカメラ等の電子カメラ装置では、シャッターを押し続けている間、所定の時間間隔で撮像を行なう連写（ムービー撮影）を行なう機能を備えたものがある。
デジタルカメラを例にとると、被写体光像を取込んで電気信号に変換して信号処理して画像データを得て作業メモリ（ＤＲＡＭ）に一時記憶する。
そして、通常撮像モードでは、使用者が所望のタイミングでシャッターを押すとそのタイミングで作業メモリに記憶されている画像データを読み出してＪＰＥＧ圧縮処理を施してフラッシュメモリ等の記憶媒体に保存（記録）する。
また、連写モードでは使用者が所望のタイミングでシャッターを押し、そのままシャッターを押し続けると所定の時間間隔毎にその時点で作業メモリに記憶されている画像データを読み出してＪＰＥＧ圧縮処理を施して記憶媒体に記憶する。
【０００３】
【発明が解決しようとする課題】
作業メモリから画像データを取り出す時間間隔ｔは取り出した画像データを圧縮処理してから記憶媒体に書込み終るまでの時間Ｔに依存する（取り出した１フレームの画素密度＝保存する画像の画素密度なら、ｔ≧Ｔ）。従って、時間間隔ｔを短くすれば単位時間あたりの連写枚数が増加するので高速連写が可能となる。
【０００４】
しかしながら、上記従来の連写方式では画像処理速度（例えば、画像圧縮処理速度）等の制約上、作業メモリから取り出した画像データを圧縮処理してから記憶媒体に書込み終るまでの時間Ｔの短縮には限度（例えば、市販のデジタルカメラの場合、機種や画質（画素密度）によって異なるが、早いものでもＴ＝１秒程度）があるので、高速連写ができないといった問題点があった。
【０００５】
本発明は、上記問題点に鑑みてなされたものであり、連写時は、取込まれた画像の画素数を減少変換した画像データを用いることにより高速連写を可能とした電子カメラ装置の提供を目的とする。
【０００６】
【課題を解決するための手段】
上記の目的を達成するために第１の発明の電子カメラ装置は、表示部に対して一定の周期で被写体画像を表示させるために、撮像部で撮像された画像データに対して前記表示部の表示解像度に合わせた縮小処理を施してスルー画像用データに変換してから表示部に出力するスルー画像表示動作を繰り返し実行するスルー画像表示手段と、連続撮影指示に応じて連続画像データを記録保存するために、撮像部で撮像された連続画像データに対して圧縮処理を施してから画像保存用のメモリに記録する連続撮影動作を行う連続撮影手段と、を備え、前記連続撮影手段は、前記連続撮影指示の後において前記スルー画像表示手段により得られるスルー画像用データを逐次取得し、この取得された複数のスルー画像用データに対して圧縮処理を施してから画像保存用のメモリに記録することを特徴とする。
【０００７】
また、第２の発明は上記第１の発明に電子カメラ装置で、前記連続撮影手段は、前記連続撮影動作によって得られた複数のスルー画像用データをまとめて１画像分のデータとして一括保存することを特徴とする。
【０００８】
また、第３の発明は上記第２の発明の電子カメラ装置で、前記連続撮影手段は、前記連続撮影動作によって得られた複数のスルー画像用データをまとめて１画像分のデータとして圧縮処理を施すことにより一括保存することを特徴とする。
【０００９】
また、第４の発明は上記第１，２または３の発明の電子カメラ装置で、前記連続撮影手段は、前記スルー画像表示手段によって前記縮小処理が施されたスルー画像用データに対して、更に画素数を間引く処理を行った後に圧縮処理を施して画像保存用のメモリに記録することを特徴とする。
【００１０】
また、第５の発明は上記第１，２または３の発明の電子カメラ装置で、前記連続撮影手段は、前記スルー画像表示手段によって前記縮小処理が施されたスルー画像用データに対して、更に画素数を補完する処理を行った後に圧縮処理を施して画像保存用のメモリに記録することを特徴とする。
【００１１】
また、第６の発明は上記第１，２または３の発明の電子カメラ装置で、ズーム操作があったとき、前記スルー画像用データはズームされた被写体画像を基とした画像データであることを特徴とする。
また、第７の発明は上記第１の発明の電子カメラ装置で、前記連続撮影手段は、連写モード時にシャッターボタンが押下されてからシャッターボタンが解放されるまでの間において前記スルー画像表示手段により得られるスルー画像用データを繰り返し取得し、この取得された複数のスルー画像用データに対して圧縮処理を施してから画像保存用のメモリに記録することを特徴とする。
また、第８の発明は上記第７の発明の電子カメラ装置で、前記連続撮影手段は、前記繰り返し取得されるスルー画像用データを１画像分の画像データとして配置していき、所定数のスルー画像用データの配置が完了した場合にはシャッターボタンが押下中であっても連続撮影を終了し、この１画像分の画像データに対して圧縮処理を施してから画像保存用のメモリに記録することを特徴とする。
また、第９の発明は上記第７の発明の電子カメラ装置で、前記連続撮影手段は、前記繰り返し取得されるスルー画像用データを１画像分の画像データとして配置していき、連写用画像データを書き込む連続空き領域が無くなった場合にはシャッターボタンが押下中であっても連続撮影を終了し、この１画像分の画像データに対して圧縮処理を施してから画像保存用のメモリに記録することを特徴とする。
また、第１０の発明は上記第３の発明の電子カメラ装置で、前記連続撮影手段は、ベイヤーデータの形態で取得される各スルー画像用データに対してＲＧＢデータへの変換処理を含む画像変換処理を施した後に１画像分の画像データとしてまとめて圧縮処理を施してから画像保存用のメモリに記録することを特徴とする。
また、第１１の発明は上記第３の発明の電子カメラ装置で、前記連続撮影手段は、ベイヤーデータの形態で取得される各スルー画像用データを１画像分の画像データとしてまとめた後に、ＲＧＢデータへの変換処理を含む画像変換処理および圧縮処理を施してから画像保存用のメモリに記録することを特徴とする。
【００１２】
【発明の実施の形態】
＜回路構成例＞
図１は本発明の電子カメラ装置の一実施例としてのデジタルカメラのハードウエア構成例を示すブロック図である。
図１で、デジタルカメラ１００は、光学系１、撮像部２、合焦部３、補助ＣＰＵ４、操作部５、主ＣＰＵ６，プログラム用ＲＯＭ７，作業メモリ（ＤＲＡＭ）８、記録媒体（フラッシュメモリ）９，ビデオ出力部１０，液晶ディスプレイ（ＬＣＤ）１１，外部入出力インターフェイス（Ｉ／Ｏ）１２および電源１３を有している。
【００１３】
光学系１は、撮像レンズや自動絞り機構等を含み、撮像レンズを介して集光された被写体像の光束を撮像部２のＣＣＤ上に結像させる。
撮像部２は、ＣＣＤ等の撮像素子を含み前段の光学系１を介してＣＣＤに結像した被写体光学像を電気信号に変換し、更にデジタルデータに変換して図２に示すような配列（ベイヤー配列）の信号（以下、ベイヤーデータ）を生成し、補助ＣＰＵ４の制御によりＤＲＡＭ８に転送する。
【００１４】
合焦部３はオートフォーカス機構およびズーム機構等を含み注目被写体迄の距離を得て合焦動作を行なうと共に、ズーム機能が選択された場合にはレンズとＣＣＤ間の距離を使用者の指示により増減させる。
【００１５】
補助ＣＰＵ４は主ＣＰＵ６の制御下で画像信号変換処理やＪＰＥＧ画像圧縮／伸張処理や画像データの転送制御等を行なう。具体的には、撮像部２からのベイヤーデータをカラープロセス処理して図３に示すようなＲ，Ｇ，Ｂデータに変換し、更に図４に示すようなデジタルの輝度、色差マルチプレクス信号（Ｙ，Ｃｂ，Ｃｒデータ）とし、Ｙ，Ｃｂ，ＣｒデータをＤＲＡＭ８に転送してその画像データ記憶領域に一時記憶する。
また、補助ＣＰＵ４は撮像時にＤＲＡＭ８の画像データ領域に書込まれているＹ，Ｃｂ，Ｃｒデータを読み出してＪＰＥＧ圧縮処理を施してフラッシュメモリ９に転送する。
また、補助ＣＰＵ４は連写画像の再生時にはフラッシュメモリ９に保存記録されていた画像データに伸張処理を施してＹ，Ｃｂ，Ｃｒデータを再生する。
また、補助ＣＰＵ４は撮像部２からのベイヤーデータを一旦ＤＲＡＭ８のベイヤーデータ記憶領域に記憶して間引き処理してから、カラープロセス処理してＲ，Ｇ，Ｂデータに変換し、さらに、更にＹ，Ｃｂ，Ｃｒデータに変換して再度ＤＲＡＭ８に転送してスルー画像用データとしてスルー画像用データ記憶領域に一時記憶し、表示用データに変換して一定の周期でビデオ出力部１０に転送する。
【００１６】
なお、撮像部２からのベイヤーデータを一旦ＤＲＡＭ８のベイヤーデータ記憶領域に記憶しないで撮像部２からのベイヤーデータをＤＲＡＭ８に記憶する前に間引き処理して直接スルー画像用データを記憶領域に記憶するようにしてもよい。
【００１７】
ここで、撮像部２から出力される１フレーム分の画像データは機種によって異なるが数十万画素（ピクセル（pixel））以上に及ぶので、そのまま全ての画素について処理してスルー画像表示するには処理時間が掛かり過ぎてスルー画像表示が困難なことと、液晶ディスプレイ１１の画面を構成する液晶表示素子数Ｍは取込まれる画素数Ｎに比較して少ない（Ｍ＜＜Ｎ）ので、補助ＣＰＵ４は撮像部２からの出力データから画素を間引いて取込まれる画素数を液晶表示素子数Ｍ（本実施例ではＭ＝３２０×２４０ピクセル）とする間引き処理を行なって、間引き処理後のＹ，Ｃｂ，Ｃｒデータをスルー画像用データとしてＤＲＡＭ８のスルー画像用記憶領域に一時記憶し、上述したようにビデオ出力部１０に出力する。
【００１８】
また、連写モードのとき、補助ＣＰＵ４はプログラム用ＲＯＭ７（またはフラッシュメモリ９）に格納された連写画像処理手段１１０および画像圧縮手段の実行制御を行ない、撮像部２からのベイヤーデータに間引き処理或いは補間処理（後述）等の解像度（画素数）減少変換処理を施してから、カラープロセス処理してＲ，Ｇ，Ｂデータに変換し、さらに、更にＹ，Ｃｂ，Ｃｒデータに変換して連写画像データを生成し、ＪＰＥＧ圧縮処理を施してフラッシュメモリ９に転送する。また、この場合、スルー画像用データ記憶領域を連写画像用データ記憶領域として用いるようにしてもよい。また、ＪＰＥＧ圧縮処理を施した画像データをＤＲＡＭ８に記憶し、所定数（例えば、連写画像１６枚分、３２枚分、・・）毎にまとめてからフラッシュメモリ９に１画像分のデータとして一括して転送するようにしてもよく、また、連写画像全て（すなわち、シャッターボタンを押し続けている間に撮影された全ての画像データ）に順次ＪＰＥＧ圧縮を施してＤＲＡＭ８に記憶し、連写が終ったとき（シャッターボタンが解放されたとき）フラッシュメモリ９に圧縮された連写画像データを１画像分のデータとして一括して転送するようにしてもよい。
【００１９】
操作部５は、連写モード切換え等の処理モード切換えボタンや、デジタルズーム機能選択ボタンのような機能選択ボタン（複数個）や、メインスイッチおよびＲＥＣ／再生モード切換えスイッチ等のスイッチやボタンを構成部分とし、これらのスイッチ或いはボタンが操作されると状態信号がＣＰＵ６に送出される。
【００２０】
ＣＰＵ６は上述の回路等にバスラインを介して接続し、プログラム用ＲＯＭ７に格納されている制御プログラムによりデジタルカメラ１００全体の制御を行なうと共に、操作部５からの状態信号に対応してデジタルカメラの各機能の実行制御、例えば、プログラム用ＲＯＭ７（または、フラッシュメモリ９）に格納された各処理手段の実行による各機能の実現のための実行制御を行なう。また、ＣＰＵ６は主ＣＰＵとして補助ＣＰＵ４との間でデータの授受を行なう。
【００２１】
ＤＲＡＭ８は作業用メモリとして、撮像時に取込まれる画像データやスルー画像データの他、プログラムや入力変数の一時記憶用領域やＪＰＥＧ圧縮／伸張処理時の作業用領域に用いられる。また、連写画像データ用の一時記憶領域を確保することもできる。
【００２２】
フラッシュメモリ９は画像データおよび画像関連情報を記録する。また、プログラム用ＲＯＭ７に代えてフラッシュメモリ９にプログラムを格納することもできる。また、フラッシュメモリ９に代えて、デジタルカメラ１００に着脱可能なメモリーカードを用いてもよい。
【００２３】
ビデオ出力部１０はＤＲＡＭ８から一定の周期毎に転送される表示用データを表示用バッファ上でビットマップイメージに展開し、液晶ディスプレイ１１に所定の周期で出力し、液晶ディスプレイ１１の画面に画像表示する。
【００２４】
図２は、撮像部からの出力信号の配列の一実施例（ベイヤー配列）の説明図である。
撮像部２では光学系１の撮像レンズからの被写体光学像をＲ，Ｇ，Ｂに分光してそれぞれの光学像を撮像素子で電気信号に変換してＲ，Ｇ，Ｂ画素の配列からなる信号を出力する。そして、更にデジタルデータに変換して図２に示すような配列（ベイヤー配列）のデータ（ベイヤーデータ）を出力する。
なお、図２の例では撮像部２から出力される１フレーム分の画素数を、説明上、１２８０×９６０ピクセルとしたがこれに限定されない。なお、以下の説明においても、説明上、撮像部２から出力される１フレーム分の画素数を、１２８０×９６０ピクセルとして述べる。
【００２５】
また、図３は補助ＣＰＵ２によってベイヤーデータを基に変換処理されたＲ，Ｇ，Ｂデータの例を示す図であり、図４はＲ，Ｇ，Ｂデータから更に変換処理されたＹ，Ｃｂ，Ｃｒデータの例を示す図である。
【００２６】
＜連続撮影手段の構成例＞
図５は連続撮影手段の構成例を示すブロック図であり、連続撮影手段１１０はシャッター動作（連写モード）判定手段１１１，減少変換処理手段１１２，画像処理手段１１３および連写画像保存手段１１４を有している。なお、これら各手段はハードウエアモジュール或いはソフトウエア（プログラム）で構成されている（本実施例ではプログラムで構成している）。
【００２７】
［実施例１］
本実施例は画素数調整処理として間引きによる画素数減数変換処理を行なった例であり、３２０×２４０ピクセルのスルー画像表示で使用していたベイヤーデータを間引き処理して１６０×１２０に変換した例である。
図５で、シャッター動作判定手段１１１は連写モードのとき、操作部５から送られる状態信号を調べ、それが連写（シャッター押し下げ）を意味する場合には減少変換処理手段１１２に遷移する。
減少変換処理手段１１２は、本実施例では、シャッターが押されているときＤＲＡＭ８に記憶されているスルー画像データ用のベイヤーデータを間引いて縮小する。すなわち、ＤＲＡＭ８にはスルー画像用データのサイズまで間引かれたベイヤーデータが記憶されているのでそのベイヤーデータをさらに間引いて連写画像データとする。
具体的には、そのスルー画像用ベイヤーデータのサイズを３２０×２４０ピクセルとしたとき、これを縦、横に２ラインずつ間引きをして１６０×１２０のベイヤーデータを作る。
【００２８】
画像処理手段１１３は、通常撮影モードにおける画像処理およびスルー画像表示の場合の画像処理と同じプログラムモジュールでよく、連写画像用に間引かれたベイヤーデータを変換処理してＲ，Ｇ，Ｂデータとし、更に、変換処理してＹ，Ｃｂ，Ｃｒデータ（連写画像データ）に変換する。
連写画像保存手段１１４は、画像処理手段１１３で変換された複数個の連写画像データを図６に示すように２次元配置してＪＰＥＧ圧縮手段に遷移して１画像分として一括して圧縮処理を施してからフラッシュメモリー９に記録／保存する。
【００２９】
図８は連写モード時の補助ＣＰＵの動作例を示すフローチャートである。
図８で、連写モードが選択されている場合に（Ｓ０）、ズーム機能が選択されているとＳ１に移行し、ズーム機能が選択されていないときにはＳ３に移行する（Ｓ１）。上記Ｓ１でズーム機能が選択されている場合にはズーム動作を行なう（Ｓ２）。
【００３０】
補助ＣＰＵ４は、また、撮像部２からのベイヤーデータを間引き処理してスルー画像用ベイヤーデータを生成し、ビデオ出力部１０に送って液晶ディスプレイ１１にスルー画像表示する（Ｓ３）。
補助ＣＰＵ４はシャッター動作判定手段１１１を起動して主ＣＰＵ６を介して操作部５からの状態信号を受取ったときにそれを調べ、それが連写（シャッター押し下げ）を意味する場合にはＳ５に遷移し、そうでない場合は操作部５からの状態信号を待つ（Ｓ４）。
【００３１】
シャッターボタンが押し下げられた場合には、補助ＣＰＵ４は減少変換処理手段１１２を起動してＤＲＡＭ８に記憶されているスルー画像データ用の３２０×２４０ピクセルのベイヤーデータを取得し（Ｓ５）、縦、横に２ラインずつ間引きをして１６０×１２０のベイヤーデータを作る（Ｓ６）。
【００３２】
次に、補助ＣＰＵ４は画像処理手段１１３に遷移して連写画像用に間引かれたベイヤーデータを変換処理してＲ，Ｇ，Ｂデータとし、更に、変換処理してＹ，Ｃｂ，Ｃｒデータ（連写画像データ）とする（Ｓ７）。
そして、連写画像保存手段１１４を起動して画像処理手段１１３で変換された連写画像データをＤＲＡＭ８の作業領域に図６に示すような順序で２次元配置する（Ｓ８）。この間、シャッター動作判定手段１１１はシャッターボタンの押し下の有無（状態信号の有無）を監視し、押し下げが継続している場合にはＳ１０に遷移し、シャッターボタンが解放された場合にはＳ１３に遷移する（Ｓ９）。
【００３３】
上記ステップＳ８でシャッターボタンが押されている場合（すなわち、連写中の場合）には、所定数（本実施例では１６個）の連写画像が配置されたかを調べまだ所定数分配置されていない場合にはＳ５に戻り（Ｓ１０）、所定数配置された場合には画像データ圧縮手段（本実施例ではプログラム）に遷移してＪＰＥＧ圧縮処理を行なわせ（Ｓ１１）、所定数分の連写画像を含む圧縮データを一括してフラッシュメモリ９に書込んでＳ５に戻る（Ｓ１２）。
【００３４】
上記ステップＳ９でシャッターボタンが解放されている場合（すなわち、連写終了の場合）には、画像データ圧縮手段に遷移してＪＰＥＧ圧縮処理を行なわせ（Ｓ１３）、圧縮データ（所定数分の連写画像を含む）を一括してフラッシュメモリ９に書込んで、連写処理を終了する（Ｓ１４）。
【００３５】
本実施例では連写モード時に使用するベイヤーデータをスルー画像表示用のベイヤーデータを用いるようにしたので、従来のように（通常撮影画像用に）変換後のＹ，Ｃｂ，Ｃｒデータを間引いて連写モード用の画像データを生成する場合に比べて処理が簡単になり、撮影間隔が短くなり連写モード用の画像データを圧縮処理してから記憶媒体に書込むまでの時間Ｔが短縮されるので、作業メモリから画像データを取り出す時間間隔ｔが短縮され、高速連写（高速ムービー撮影）が可能になった。
【００３６】
また、所定枚数（実施例では１６枚）の連写画像を一括して書込むので（所定枚数の連写画像を１つのファイルとして扱えるので）、保存時に作業用メモリ（ＤＲＡＭ８）と保存用メモリ（フラッシュメモリ９）にアクセスする回数が各１回ですみ、連写モード用の画像データを圧縮処理してから記憶媒体に書込むまでの時間Ｔの短縮効果が大きい。
また、スルー画像表示用のベイヤーデータを用いるので、ズーム機能が選択されている場合に、表示されるズーム画像（スルー画像）データを画素数調整処理でき、デジタルズームされた連写（ムービー撮影）が可能になった。
【００３７】
［実施例２］
実施例１では画像保存の際に作業用メモリ（ＤＲＡＭ）に所定数の連写画像用データを一時記憶して１枚の画像として扱い、圧縮処理を施し記録媒体（フラッシュメモリ）に保存したが、本実施例は作業用メモリの連続空き容量に応じて連写画像用ベイヤーデータを記憶して１枚の画像として扱ってＲ，Ｇ、Ｂ変換処理およびＹ，Ｃｂ，Ｃｒ変換を施してＹ，Ｃｂ，Ｃｒデータを得て、それに圧縮処理を施し、記録媒体に保存する例であり、減少変換処理手段１１２以外の連続撮影手段１１０の構成（すなわち、シャッター動作判定手段１１１，画像処理手段１１３および連写画像保存手段１１４）の機能および動作は実施例１の連続撮影手段の機能と同様である。
【００３８】
減少変換処理手段１１２は、実施例１に述べた間引き処理或いは後述（実施例３）する補完処理を用いてスルー画像用ベイヤーデータを連写画像用ベイヤーデータに変換する。このとき、減少変換処理手段１１２はＤＲＡＭ８の連続容量が許す限り連写画用ベイヤーデータを変換の都度、２次元配置する（画像処理手段１１３はそれを１枚の画像用ベイヤーデータとして変換処理してＲ，Ｇ，Ｂデータとし、更に、変換処理してＹ，Ｃｂ，Ｃｒデータ（連写画像データ）に変換する）。
【００３９】
図９は連写モード時の補助ＣＰＵ４の動作例を示すフローチャートであり、連写モードが選択されている場合に（Ｔ０）、ズーム機能が選択されているとＴ２に移行し、ズーム機能が選択されていないときにはＴ３に移行する（Ｔ１）。上記Ｔ１でズーム機能が選択されている場合にはズーム動作を行なう（Ｔ２）。
補助ＣＰＵ４は撮像部２からのベイヤーデータを間引き処理してスルー画像用ベイヤーデータを生成し、ビデオ出力部１０に送って液晶ディスプレイ１１にスルー画像表示する（Ｔ３）。
補助ＣＰＵ４は、また、シャッター動作判定手段１１１を起動して主ＣＰＵ６を介して操作部５からの状態信号を受取ったときにそれを調べ、それが連写（シャッター押し下げ）を意味する場合にはＴ５に遷移し、そうでない場合は操作部５からの状態信号を待つ（Ｔ４）。
【００４０】
シャッターボタンが押し下げられた場合には、補助ＣＰＵ４は減少変換処理手段１１２を起動してＤＲＡＭ８に記憶されているスルー画像データ用の３２０×２４０ピクセルのベイヤーデータを取得し（Ｔ５）、間引き処理して１６０×１２０のベイヤーデータを作り（Ｔ６）、ＤＲＡＭ８にその空き容量が許す限り連写画像用ベイヤーデータを変換の都度、２次元配置する（Ｔ７）。
この間、シャッター動作判定手段１１１はシャッターボタンの押し下げの有無（状態信号の有無）を監視し、押し下げが継続している場合にはＴ９に遷移し、シャッターボタンが解放された場合にはＴ１０に遷移する（Ｔ８）。
【００４１】
上記ステップＴ８でシャッターボタンが押されている場合（すなわち、連写中の場合）には、ＤＲＡＭ８に連写用画像データを書込む連続空き領域がまだあるかを調べ、連続空き領域がある場合にはＴ５に戻り、連続空き領域がない場合にはＴ１０に遷移する（Ｔ９）。
上記ステップＴ８でシャッターボタンが解放されている場合（すなわち、連写終了の場合）或いは上記ステップＴ９で連続空き領域がない場合には、補助ＣＰＵ４は画像処理手段１１３に制御を移して複数の連写画像用ベイヤーデータ群を１枚の画像用ベイヤーデータとして変換処理させてＲ，Ｇ，Ｂデータとし、更に、変換処理させてＹ，Ｃｂ，Ｃｒデータ（連写画像データ）を得る（Ｔ１０）。そして、連写画像保存手段１１４を起動して画像データ圧縮手段（本実施例ではプログラム）に遷移してＪＰＥＧ圧縮処理を行なわせ（Ｔ１１）、圧縮データ（連続空き領域分の連写画像を含む）を一括してフラッシュメモリ９に書込んで処理を終了する（Ｔ１２）。
【００４２】
本実施例は、ステップＴ２〜Ｔ７で作業用メモリ（ＤＲＡＭ）の容量の許す限り連写画像用ベイヤーデータを一時記憶しておき、その後ステップＴ１０で一括してＹ，Ｃｂ，Ｃｒデータに変換して、ステップＴ１１でＪＰＥＧ圧縮しているので連写枚数が増える。すなわち、ベイヤーデータは連写画像用データ１枚あたり１６０×１２０ピクセルであるのに対し、Ｙ，Ｃｂ，Ｃｒデータは４１１ＪＰＥＧ（規格）の場合、Ｙ：１６０×１２０ピクセル、Ｃｂ：８０×６０ピクセル、Ｃｒ：８０×６０ピクセルとなるので、連写画像用データ１枚あたりのデータ量が少なくてすむ。
一方、画像圧縮時間はデータ量に比例するので、データ量が少ないほど圧縮時間が早くなる。
【００４３】
従って、本実施例によれば、作業用メモリの容量が十分大きければ一連の連写画像で得た連写用画像データを一括して圧縮し、保存することができるので、圧縮時間を短縮できることおよび保存時に作業用メモリ（ＤＲＡＭ）と保存用メモリ（フラッシュメモリ）にアクセスする回数が各１回で済むことおよび、連写モード用の画像データを圧縮処理してから記憶媒体に書込むまでの時間Ｔがより短縮されるので、連写時間間隔ｔが短くなって、単位時間あたりのムービー画像（連写画像）の枚数を増やすことができる。
また、スルー画像表示用のベイヤーデータを用いるので、実施例１の場合と同様にデジタルズームされた連写（ムービー撮影）ができる。
【００４４】
［実施例３］
本実施例は画素数調整処理として補完による減少変換処理を行なった例であり、３２０×２４０ピクセルのスルー画像表示で使用していたベイヤーデータをデータの補完処理により１６０×１２０に変換した例であり、減少変換処理手段１１２以外の連続撮影手段１１０の構成（すなわち、シャッター動作判定手段１１１，画像処理手段１１３および連写画像保存手段１１４）の機能および動作は実施例１または実施例２の場合と同様である。また、動作を示すフローチャートは図８と同様でよい。但し、ステップＳ６またはステップＴ６での減少変換処理の内容を間引き処理に代えて補完処理とする。
【００４５】
減少変換処理手段１１２は、本実施例では、シャッターが押されているときＤＲＡＭ８に記憶されているスルー画像データ用のベイヤーデータとして、図７に示すようなベイヤー配列のデータがあった場合に、次のような方法（平均補完法）で補完することにより縮小データを得る。ただし、変換後のベイヤーデータはＧ（ｘ，ｙ），Ｒ（ｘ，ｙ），Ｂ（ｘ，ｙ）の配列で表わされるものとする。
Ｇ（０，０）＝（Ｇ１＋Ｇ２＋Ｇ６＋Ｇ７）／４
Ｒ（１，０）＝（Ｒ１＋Ｒ２＋Ｒ６＋Ｒ７）／４
Ｂ（０，１）＝（Ｂ１＋Ｂ２＋Ｂ６＋Ｂ７）／４
Ｇ（１，１）＝（ｇ１＋ｇ２＋ｇ６＋ｇ７）／４
これにより、縦、横に１／２づつ圧縮された連写画像が生成される。
また、本実施例により連写画像用のベイヤーデータを生成するのに間引きではなく補間により画素の減少変換処理（画素数調整処理）を行なうことで、ムービー撮影（高速連写）された画像の画質が実施例１および実施例２の場合より向上する。
【００４６】
なお、本実施例においては、スルー画像データ用のベイヤーデータを間引いたり、補完することにより連写画像用のベイヤーデータを生成するようにしたが、間引処理、補完処理等を行なわずに、スルー画像データ用のベイヤーデータを連写画像用として保存／記録するようにしてもよい。
以上本発明のいくつかの実施例について説明したが、本発明は上記各実施例に限定されるものではなく、種々の変形実施が可能であることはいうまでもない。
【００４７】
【発明の効果】
以上説明したように、第１の発明によれば、連写モード時に使用する各画像データをスルー画像表示用の画像データから取得するようにしたので、従来の連写画像用のデータを生成する場合に比べて処理が簡単になり、連続撮影時間間隔ｔが短縮され、高速連写（高速ムービー撮影）が可能になる。
【図面の簡単な説明】
【図１】本発明の電子カメラ装置の一実施例としてのデジタルカメラのハードウエア構成例を示すブロック図である。
【図２】撮像素子からの出力信号の配列の一実施例（ベイヤー配列）の説明図である。
【図３】図２のベイヤー配列データを基に変換処理されたＲ，Ｇ，Ｂデータの一例を示す図である。
【図４】図３のＲ，Ｇ，Ｂデータから更に変換処理されたＹ，Ｃｂ，Ｃｒデータの一例を示す図である。
【図５】連続撮影手段の構成例を示すブロック図である。
【図６】撮像された連写画像の作業メモリ上の配置例の説明図である。
【図７】ベイヤーデータの一例を示す図である。
【図８】連写モード時の補助ＣＰＵの動作例を示すフローチャートである。
【図９】連写モード時の補助ＣＰＵの動作例を示すフローチャートである。
【符号の説明】
１００  デジタルカメラ
１１２  減少変換処理手段（画素数調整処理）
１１４  連続画像保存手段（画像保存手段）
【図１】
0003858447.tif 000002
【図２】
0003858447.tif 000003
【図３】
0003858447.tif 000004
【図４】
0003858447.tif 000005
【図５】
0003858447.tif 000006
【図６】
0003858447.tif 000007
【図７】
0003858447.tif 000008
【図８】
0003858447.tif 000009
【図９】
0003858447.tif 000010